(57)【要約】  本発明に係る固定装置は、長手方向に沿って延びるスリット状の開口部を上面部に有する中空棒状のラック部材の上面部に配置されるパネルの周縁部の一部と当接する押さえ具と、開口部に挿入可能に構成され、開口部の長手方向と直交する方向の幅よりも大きい幅を一方向に有する上面部の裏面に当接する固定具と、パネルの周縁部の一部及びラック部材の上面部の裏面にそれぞれ当接した押さえ具及び固定具を一体に固定する締結部材と、を備える。
2017038994.tif 000002
【特許請求の範囲】
【請求項１】
長手方向に沿って延びるスリット状の開口部を上面部に有する中空棒状のラック部材の前記上面部に配置されるパネルの周縁部の一部と当接する押さえ具と、
前記開口部に挿入可能に構成され、前記開口部の長手方向と直交する方向の幅よりも大きい幅を一方向に有する前記上面部の裏面に当接する固定具と、
前記パネルの前記周縁部の一部及び前記ラック部材の前記上面部の裏面にそれぞれ当接した前記押さえ具及び前記固定具を一体に固定する締結部材と、
を備えることを特徴とする固定装置。
【請求項２】
前記押さえ具は、一方向に長い板状の第１延出部、前記第１延出部の端部であって、前記第１延出部の厚さ方向に延設され、前記パネルの前記周縁部の一部と当接する押圧部、及び、前記第１延出部の他端から前記第１延出部の厚さ方向に延出され、前記締結部材を挿通可能な第１ボルト孔を有する第２延出部を具備し、
前記固定具は、前記第２延出部の前記第１ボルト孔に対向する前記締結部材を挿通可能な第２ボルト孔を有し、前記第２延出部と対向する板状のベース部、及び、前記開口部の前記幅よりも大きく、且つ、前記ラック部材の対向する一対の側板部の内面間の幅よりも小さい幅で離間して前記ベース部に配置され、前記上面部の裏面に当接可能な一対の圧接部を具備することを特徴とする請求項１に記載の固定装置。
【請求項３】
前記固定具は、前記一対の圧接部の外側に設けられる４つの角の対角を結ぶ２本の対角線の一方の対角線の長さが、他方の対角線の長さよりも短いことを特徴とする請求項２に記載の固定装置。
【請求項４】
前記押圧部は、前記第２延出部が延びる方向とは反対方向に延びる第１押圧部及び前記第２延出部が延びる方向に延びる第２押圧部を具備し、
前記第２押圧部の接触面から前記第２延出部の表面までの間の距離が、前記第１押圧部の接触面から前記第２延出部の表面までの間の距離よりも長く形成されていることを特徴とする請求項２に記載の固定装置。
【請求項５】
前記固定具は、前記ベース部の端部の前記固定具と接続される前記押さえ具の前記第２延出部側と反対側の端部に設けられ、前記圧接部が延びる方向へ延びるアース部を備えていることを特徴とする請求項２に記載の固定装置。
【請求項６】
前記固定具は、前記アース部及び前記ベース部の接続部分に、貫通する水抜き孔を有することを特徴とする請求項５に記載の固定装置。
【請求項７】
長手方向に沿って延びるスリット状の開口部を上面部に有する中空棒状のラック部材の前記上面部に配置されるパネルの周縁部の一部と当接する押さえ具と締結部材により一体に固定される、前記開口部の長手方向と直交する方向の幅よりも大きい幅を一方向に有する前記上面部の裏面に当接する固定具を前記開口部から挿入し、
前記固定具を前記固定具の前記一方向が前記ラック部材の長手方向と直交する方向に沿う方向に回転し、
前記押さえ具及び前記ラック部材の前記上面部の間に前記パネルの前記周縁部の一部を配置し、
前記押さえ具及び前記固定具を前記締結部材により一体に接続することを特徴とするパネルの設置方法。
【発明の詳細な説明】
【技術分野】
【０００１】
本発明は、パネルの固定装置及びこの固定装置を用いたパネルの設置方法に関する。
【背景技術】
【０００２】
従来、例えば、太陽光モジュール等の板状のパネルを屋根に設置する場合、先ず、架台となるレール状のラック部材を、屋根の傾斜に沿って棟及び軒の間に固定する。ここで、ラック部材は、例えば、中空棒状であって、長手方向に沿って延びるスリット状の開口部を上面部に有する。【０００３】
次に、屋根上に固定したラック部材の上にパネルを順番に配置し、パネルを固定装置によりラック部材に固定する。このパネルをラック部材に固定する固定装置は、ラック部材の端から挿入し、固定するパネルの位置までスライドさせて、パネルを固定する。このため、パネル及び固定装置を交互にラック部材に配置する必要がある。
【先行技術文献】
【特許文献】
【０００４】
【特許文献１】日本国特開２０１３−８７５７９号公報
【発明の概要】
【発明が解決しようとする課題】
【０００５】
従来の固定装置は、上述のように、ラック部材の端から挿入し、固定するパネルの位置まで固定装置をスライドさせる必要があった。このため、従来の固定装置は、パネルの取り付けや付け替えをする場合に作業性が悪く問題となっていた。【０００６】
そこで、本発明は、パネルの取り付け作業性が良いパネルの固定装置及びこの固定装置を用いたパネルの設置方法を提供することを目的とする。
【課題を解決するための手段】
【０００７】
本発明に係る固定装置は、長手方向に沿って延びるスリット状の開口部を上面部に有する中空棒状のラック部材の前記上面部に配置されるパネルの周縁部の一部と当接する押さえ具と、前記開口部に挿入可能に構成され、前記開口部の長手方向と直交する方向の幅よりも大きい幅を一方向に有する前記上面部の裏面に当接する固定具と、前記パネルの前記周縁部の一部及び前記ラック部材の前記上面部の裏面にそれぞれ当接した前記押さえ具及び前記固定具を一体に固定する締結部材と、を備える。【０００８】
また、本発明に係るパネルの設置方法は、長手方向に沿って延びるスリット状の開口部を上面部に有する中空棒状のラック部材の前記上面部に配置されるパネルの周縁部の一部と当接する押さえ具と締結部材により一体に固定される、前記開口部の長手方向と直交する方向の幅よりも大きい幅を一方向に有する前記上面部の裏面に当接する固定具を前記開口部から挿入し、前記固定具を前記固定具の前記一方向が前記ラック部材の長手方向と直交する方向に沿う方向に回転し、前記押さえ具及び前記ラック部材の前記上面部の間に前記パネルの前記周縁部の一部を配置し、前記押さえ具及び前記固定具を前記締結部材により一体に接続する。
【発明の効果】
【０００９】
本発明によれば、パネルの取り付け作業性が良いパネルの固定装置及びこの固定装置を用いたパネルの設置方法を提供することができる。
【図面の簡単な説明】
【００１０】
【図１】図１は、太陽光モジュールを屋根に固定するための本実施形態に係る固定装置を示した分解斜視図である。
【図２】図２は、本実施形態に係る固定装置、太陽光モジュール及びラック部材の構成を、図１中のＩＩ−ＩＩ線断面で示す部分断面図である。
【図３】図３は、本実施形態に係る固定装置、太陽光モジュール及びラック部材の構成を、図２中のＩＩＩ−ＩＩＩ線断面で示す部分断面図である。
【図４】図４は、本実施形態に係る固定装置を示す分解斜視図である。
【図５】図５は、本実施形態に係る固定装置をラック部材に斜めの姿勢で挿入した状態を示す平面図である。
【図６】図６は、図５に示す固定装置を図６中のＶＩ−ＶＩ線断面で示す断面図である。
【図７】図７は、本実施形態に係る固定装置がラック部材の内側へ挿入された状態を示す平面図である。
【図８】図８は、図７に示す固定装置を図７中のＶＩＩＩ−ＶＩＩＩ線断面で示す断面図である。
【図９】図９は、図７の位置にあった固定装置を矢印Ｙ１の方向へ移動させた状態を示す平面図である。
【図１０】図１０は、図９の固定装置を図９中のＸ−Ｘ線断面で示す断面図である。
【図１１】図１１は、図１０の固定装置を矢印Ｙ２の方向に回転している途中の状態を示す平面図である。
【図１２】図１２は、図１０の固定装置を矢印Ｙ２の方向に略９０度回転した状態を示す平面図である。
【図１３】図１３は、図１２の固定装置を図１２中のＸＩＩＩ−ＸＩＩＩ断面線で示す断面図である。
【図１４】図１４は、図１２の固定装置を矢印Ｙ３の方向にさらに回転した状態を示す平面図である。
【発明を実施するための形態】
【００１１】
以下、本発明の実施形態に係る固定装置１、及び、固定装置１が用いられる太陽光発電ユニット６００について説明する。
【００１２】
図１は、太陽光モジュール１００を建物の屋根５００に固定する状態を示した分解斜視図である。図２は、固定装置１、太陽光モジュール１００及びラック部材２００の構成を、図１中のＩＩ−ＩＩ線断面示す断面図である。図３は、固定装置１、太陽光モジュール１００及びラック部材２００の構成を、図２中のＩＩＩ−ＩＩＩ線断面で示す部分断面図である。図４は、固定装置１の構成を示す分解斜視図である。
【００１３】
固定装置１は、太陽光発電ユニット６００を屋根５００に設置するときに、ラック部材２００に太陽光モジュール１００を固定可能に構成される。ここで、太陽光発電ユニット６００は、図１に示すように、複数の太陽光モジュール１００と、複数のラック部材２００と、複数の固定装置１と、複数の化粧板３００と、複数の固定金具４００と、を備えている。本実施形態においては、複数の太陽光モジュール１００を屋根５００の傾斜に沿って、屋根５００の棟及び軒の間に設置する太陽光発電ユニット６００を用いて説明する。屋根５００の軒は、例えば、図１中で屋根５００の化粧板３００が設けられる側である。
【００１４】
なお、太陽光モジュール１００は、パネル状の形状を有している。また、ラック部材２００に最初に固定する太陽光モジュール１００を第１の太陽光モジュール１００Ａと称し、次にラック部材２００に配置される太陽光モジュールを第２の太陽光モジュール１００Ｂと称する。あるいは、これら２枚の第１の太陽光モジュール１００Ａ及び第２の太陽光モジュール１００Ｂを総称して太陽光モジュール１００と称する。なお、太陽光モジュール１００には、太陽光発電用のいわゆるソーラパネルや、太陽の熱を利用して給湯を行う太陽熱温水器用のモジュールを含む。
【００１５】
太陽光モジュール１００は、図１に示すように、矩形枠状のフレーム１３０と、複数の太陽電池セル１５０と、を備えている。太陽光モジュール１００は、平板状の外観を有している。フレーム１３０は、図２に示すように、複数並べられた太陽電池セル１５０の周縁部と表裏面の一部を覆う。太陽電池セル１５０は、複数並べられてパネル状に固定され、フレーム１３０に支持される。太陽光モジュール１００は、フレーム１３０の内側であって、太陽電池セル１５０の裏面側には空間１４０を有する。また、フレーム１３０には、メッキ加工が施されている。
【００１６】
ラック部材２００は、図１に示すように、太陽光モジュール１００が配置される屋根５００の棟から軒に沿わせて屋根５００に固定される金属性の棒状部材である。ラック部材２００は、一列に太陽光モジュール１００を並べる場合に、例えば２本用いられる。換言すると、例えば、図1に示すように、太陽光モジュール１００は、略並行に屋根５００に固定された２本のラック部材２００で支持される。複数のラック部材２００は、屋根５００上に略並行に配置される。ラック部材２００は、例えば、２枚の太陽光モジュール１００を長手方向に沿って、複数取付け可能な長さに構成される。
【００１７】
ラック部材２００は、上面部に太陽光モジュール１００のフレーム１３０の裏面１２０と接し、太陽光モジュール１００の並び方向に沿って延びる一対の支持板部２１０を有している。ラック部材２００は、長手方向に沿って延びる一対の支持板部２１０の間にスリット状の開口部２３０を備えている。ラック部材２００は、支持板部２１０が開口部２３０と反対側で連続する形状の中空棒状である。即ち、ラック部材２００は、ラック部材２００の長手方向に沿って延びるスリット状の開口部２３０を上面部に有する矩形筒状に構成される。
【００１８】
具体的には、図３に示すように、ラック部材２００は、帯状の一対の支持板部２１０と、支持板部２１０と離間して略平行に設けられる底板部２７０と、一対の支持板部２１０及び底板部２７０を一体に接続する一対の側板部である第１側板部２９０及び第２側板部２９１と、を備える。換言すると、ラック部材２００は、図３に示すように、底板部２７０の互いに対向する２辺から略垂直に延び一対の支持板部２１０とそれぞれ繋がる第１側板部２９０及び第２側板部２９１を有している。ラック部材２００の材料としては、例えば、アルミニウム、ステンレス、鉄等の金属材料又は樹脂材料を用いることができる。なお、本実施形態においては、ラック部材２００は、一方向に長い金属性の矩形の板を長手方向に沿った複数個所で折り曲げて作製されている。
【００１９】
固定装置１は、図１及び図２に示すように、例えば、ラック部材２００の第１の太陽光モジュール１００Ａ及び第２の太陽光モジュール１００Ｂの間に配置され、ラック部材２００に第１の太陽光モジュール１００Ａを固定する。また、固定装置１は、図１及び図２に示すように、ラック部材２００の第２の太陽光モジュール１００Ｂの棟側に配置され、ラック部材２００に第２の太陽光モジュール１００Ｂを固定する。
【００２０】
このような固定装置１は、図２に示すように、押さえ具１０と、固定具２０と、ボルト３０（締結部材）と、を備えている。
【００２１】
押さえ具１０は、図２に示すように、第１延出部１１と、押圧部１５と、第２延出部１３と、突起部１９と、を備える。押さえ具１０は、第１延出部１１、押圧部１５、第２延出部１３及び突起部１９が一体に成形される。
【００２２】
第１延出部１１は、矩形板状に構成される。第１延出部１１は、押さえ具１０をラック部材２００に配置したときに太陽光モジュール１００のフレーム１３０の厚み方向、換言すると、屋根５００の上面に直交する方向に沿って延びる矩形板状の押さえ具１０の部位である。具体的には、第１延出部１１は、長手方向の長さが太陽光モジュール１００の裏面１２０側のフレーム１３０の端部から表面１１０側のフレーム１３０の端部までの高さよりも長く構成される。具体的には、第１延出部１１の長手方向の長さは、太陽光モジュール１００の厚さよりも長く、その一部がラック部材２００の開口部２３０から、ラック部材２００の内側に挿通されている。第１延出部１１の長さについては、本実施形態に示したものに限られない。すなわち、第１延出部１１の長さは、太陽光モジュール１００の厚さ、並びに、第２延出部１３及び突起部１９の形状に合わせて設定される。
【００２３】
第１延出部１１は、フレーム１３０の側面と対向する面の、第１延出部１１の長手方向と直交する幅方向の長さがラック部材２００の長手方向と直交する開口部２３０の幅方向の長さよりも短く形成されている。また、第１延出部１１は、長手方向及び幅方向に直交する厚さが、押さえ具１０の材料や形状に応じて、太陽光モジュール１００を支持可能な強度に設定される。
【００２４】
図２に示すように、押圧部１５は、第１延出部１１の一端であって、且つ、第１延出部１１の厚さ方向に沿って延設される。押圧部１５は、図２に示すように、第１延出部１１の図示上端に第１延出部１１と一体に設けられ、第１延出部１１の長手方向と略直交する面に沿って配置される部位である。押圧部１５は、第１押圧部１２及び第２押圧部１４を含む。第１押圧部１２は、第１の太陽光モジュール１００Ａの周縁部の一部と当接する。具体的には、第１押圧部１２は、第１の太陽光モジュール１００Ａの表面１１０側のフレーム１３０の上面に係合する。第２押圧部１４は、第２の太陽光モジュール１００Ｂの周縁部の一部と当接する。具体的には、第２押圧部１４は、第２の太陽光モジュール１００Ｂの表面１１０側のフレーム１３０の上面に対向し、第２の太陽光モジュール１００Ｂが固定装置１から外れることを防ぐ。第１押圧部１２は、第２押圧部１４よりも若干厚く作られている。言い換えれば、押さえ具１０の第２押圧部１４の接触面１８から支持板部２１０の表面（外面）までの距離は、第１押圧部１２の接触面１６から支持板部２１０の表面までの距離よりも若干長く構成されている。
【００２５】
換言すると、第２押圧部１４の接触面１８から第２延出部１３の表面１３ａまでの間の距離は、第１押圧部１２の接触面１６から第２延出部１３の表面１３ａまでの間の距離よりも長く構成されている。
【００２６】
これにより、軒側に位置する第１の太陽光モジュール１００Ａは、第１押圧部１２により強固に固定される。一方、棟側に配置される第２の太陽光モジュール１００Ｂを第２押圧部１４の下へ挿入し易くなる。
【００２７】
すなわち、固定装置１を用いて第１の太陽光モジュール１００Ａを固定後に第２の太陽光モジュール１００Ｂを第２押圧部１４の接触面１８と支持板部２１０の間にはめ込むときに、第２の太陽光モジュール１００Ｂを斜め上方から固定装置１に嵌め込むことが可能である。このため、第２の太陽光モジュール１００Ｂを支持板部２１０に沿ってスライドさせる必要がなく作業性が良い。
【００２８】
第２延出部１３は、第１延出部１１の押圧部１５が設けられた端部と反対側の端部に設けられ、第１延出部１１の厚さ方向に延びる。第２延出部１３の幅は、例えば、第１延出部１１と同じ幅に構成される。第２延出部１３は、第１延出部１１の押圧部１５と反対側の端部から、ラック部材２００の支持板部２１０と略並行に一体に延びる板状の部分である。言い換えれば、第２延出部１３は、第１延出部１１とほぼ直交し、第１延出部１１の他方の端部から第２押圧部１４と略並行に延出される部分である。
【００２９】
第２延出部１３は、例えば、図２及び図３に示すように、第２押圧部１４と重ならない位置に第１ボルト孔１７を有する。第１ボルト孔１７は、第２延出部１３を貫通する。第１ボルト孔１７の軸心方向は、第２延出部１３と直交する。第１ボルト孔１７は、押さえ具１０及び固定具２０を接続するボルト３０を挿入できる内径を有する。
【００３０】
第２延出部１３は、端部１３ｃに一体に形成され、第２延出部１３の裏面１３ｂ側から第１延出部１１の長手方向に沿って延びる脚部１３ｄを有する。具体的には、図２に示すように、第２延出部１３の第１延出部１１と繋がる側と反対側の端部１３ｃには、ラック部材２００の底板部２７０へ向かって延びる脚部１３ｄが一体に設けられている。
【００３１】
突起部１９は、第２延出部１３と一体に形成される。突起部１９は、図２に示すように、第２延出部１３の第１延出部１１側の裏面１３ｂからラック部材２００の底板部２７０へ向かって延びる矩形の板状部分である。突起部１９は、後述する固定具２０の連結孔２７に挿通されている。本実施形態においては、突起部１９の形状は、板状とし、スリット状の連結孔２７に挿通される。突起部１９が連結孔２７に挿通することにより、例えば、図１１の矢印Ｙ２方向へ押さえ具１０が回転したときに、押さえ具１０と固定具２０との連結が外れることがない。すなわち、突起部１９及び連結孔２７は、固定具２０の押さえ具１０に対する矢印Ｙ２方向の移動を規制する。言い換えれば、突起部１９の突出方向に沿った軸を中心に押さえ具１０を回転させたときに、固定具２０が押さえ具１０とともに回転する。
【００３２】
なお、本実施形態においては、突起部１９の形状は、板状としているが、突起部１９の形状はこれに限られず、押さえ具１０の移動に伴わずに固定具２０が押さえ具１０に対して矢印Ｙ２方向に移動することを規制することが可能であれば、他の形状を用いることも可能である。
【００３３】
また、突起部１９は、例えば、棟側から軒側へ向かって太陽光モジュール１００に力が掛かったときにラック部材２００と当接し、太陽光モジュール１００を支持する支持部材としても機能する。
【００３４】
脚部１３ｄは、第２延出部１３の端部１３ｃから第２延出部１３の長手方向と直交する方向に延びる。脚部１３ｄは、第２押圧部１４から離間する方向に延びて形成される。言い換えれば、脚部１３ｄは、第２延出部１３の端部において、突起部１９と同じ方向に延設される。脚部１３ｄは、突起部１９の突出方向の長さよりも長く形成される。脚部１３ｄは、固定装置１が太陽光モジュール１００をラック部材２００に固定した際に、ラック部材２００の底板部２７０に当接する長さに構成されている。
【００３５】
本実施形態において、脚部１３ｄは、突起部１９と略平行に設けられ、第２延出部１３と略直交する板状部分である。脚部１３ｄは、突起部１９と離間する側の面に複数の凸部１３ｅを有している。言い換えれば、脚部１３ｄは、第２延出部１３の表面１３ａと連続する面に凸部１３ｅを備える。
【００３６】
このような脚部１３ｄを備えることにより、ラック部材２００の底板部２７０と脚部１３ｄの先端が当接することから、固定装置１は、軒側から棟側へ向かう力が太陽光モジュール１００に作用したときに、軒側から棟側へ向かう力に対抗することができる。
【００３７】
例えば、軒側から棟側へ強風が吹いたときに、図２に示す第１の太陽光モジュール１００Ａは、第２の太陽光モジュール１００Ｂへ向かって押圧される。このときに、脚部１３ｄは、ラック部材２００の底板部２７０と当接することにより、固定装置１の破損防ぐとともに、第１の太陽光モジュール１００Ａを支持する。
【００３８】
また、押さえ具１０は、脚部１３ｄと突起部１９を備えることにより、自立可能に構成されている。このため、作業者は、固定装置１をラック部材２００の内側に立てて仮置きすることができるため作業性がよい。
【００３９】
また、脚部１３ｄに設けられた複数の凸部１３ｅは、識別マークとして機能する。例えば、凸部１３ｅは、第１延出部１１の長さの異なる複数の種類の押さえ具１０を製造した場合、凸部１３ｅの数を第１延出部１１の長さにより変えることで、第１延出部１１の長さが異なるそれぞれの押さえ具１０の区別を容易することができる。
【００４０】
なお、本実施形態において、押さえ具１０を構成する押圧部１５、第１延出部１１、第２延出部１３、突起部１９及び脚部１３ｄは、押し出し成形により一体に形成されている。
【００４１】
続いて、固定具２０について図２〜図４を用いて説明する。固定具２０は、図４に示すように、ベース部２６と、第１圧接部２５ａと、第２圧接部２５ｂと、アース部２２と、を備えている。
【００４２】
ベース部２６は、図３及び図４に示すように、例えば、４角形の板状の部分であり、第１辺２６ａ、第２辺２６ｂ、第３辺２６ｃ及び第４辺２６ｄを有する略台形の部分である。ベース部２６は、第１辺２６ａ及び第３辺２６ｃにおいて、それぞれ第１圧接部２５ａ及び第２圧接部２５ｂと一体に接続される。ベース部２６は、第２辺２６ｂにおいてアース部２２と一体に接続される。
【００４３】
ベース部２６は、上述した連結孔２７と第２ボルト孔２８とを備えている。連結孔２７は、例えば、押さえ具１０の突起部１９と嵌合するスリット状の貫通孔である。連結孔２７の形状は、突起部１９の形状に合わせて適宜変更される。第２ボルト孔２８は、押さえ具１０の第１ボルト孔１７と同軸に配置される貫通孔である。第２ボルト孔２８は、ボルト３０を挿通可能に構成される。
【００４４】
第１圧接部２５ａは、図３および図４に示すように、ベース部２６の第１辺２６ａから支持板部２１０へ向かってベース部２６と略直交する方向に一体に延びる壁部分である。言い換えれば、第１圧接部２５ａは、ベース部２６の第１辺２６ａからラック部材２００の第１側板部２９０に沿って設けられる壁部分である。第１圧接部２５ａは、先端に支持板部２１０の裏面と当接可能に形成された第１端面２４ａを有する。また、図１１に示すように、第１圧接部２５ａの先端には、第１角Ｃ１及び第２角Ｃ２を備えている。ここで、第１角Ｃ１及び第２角Ｃ２は、第１圧接部２５ａの外側に構成される２つの稜部である。
【００４５】
第２圧接部２５ｂは、図３および図４に示すように、ベース部２６の第３辺２６ｃから支持板部２１０へ向かってベース部２６と略直交する方向に一体に延びる壁部分である。言い換えれば、第２圧接部２５ｂは、ベース部２６の第３辺２６ｃを有する端部からラック部材２００の第２側板部２９１に沿って設けられる壁部分である。第２圧接部２５ｂは、先端に支持板部２１０の裏面と当接可能に形成された第２端面２４ｂを有する。第２圧接部２５ｂは、第１圧接部２５ａと対向して平行に設けられる。また、図１１に示すように、第２圧接部２５ｂの先端には、第３角Ｃ３及び第４角Ｃ４を備えている。ここで、第３角Ｃ３及び第４角Ｃ４は、第２圧接部２５ｂの外側に構成される２つの稜部である。
【００４６】
第１圧接部２５ａ及び第２圧接部２５ｂは、押さえ具１０と固定具２０をボルト３０により締め付けるにつれて、ラック部材２００の支持板部２１０に向けて上方へ移動される。これにより第１圧接部２５ａ及び第２圧接部２５ｂの先端が支持板部２１０の裏面と当接する。具体的には、第１圧接部２５ａの第１端面２４ａ及び第２圧接部２５ｂの第２端面２４ｂが支持板部２１０の裏面と当接する。
【００４７】
第１圧接部２５ａと第２圧接部２５ｂは、所定の距離だけ離間してベース部２６に設けられている。具体的には、図３に示すように、固定具２０の第１圧接部２５ａの外面と第２圧接部２５ｂの外面との間の距離Ｋ１は、ラック部材２００の開口部２３０の短手方向の距離Ｋ２よりも長い。また、距離Ｋ１は、ラック部材２００の第１側板部２９０の内面と第２側板部２９１の内面との間の距離Ｌ３よりも短い。このため、ラック部材２００の内側に配置された固定具２０は、第１圧接部２５ａ及び第２圧接部２５ｂが支持板部２１０の裏面と当接可能な位置にあるときは、開口部２３０から固定具２０がラック部材２００の外側に外れることがない。このため、一対の支持板部２１０と第１圧接部２５ａ及び第２圧接部２５ｂとが接触可能な部位の幅を大きくとれる。すなわち、固定具２０とラック部材２００との接触面積を大きくすることにより、摩擦を増大させより強く固定することができる。また、距離Ｋ１は、第２側板部２９１の内面と第１側板部２９０側の支持板部２１０の端部（開口部２３０の縁）との間の距離Ｌ４よりも長い。このため、固定具２０の位置が図示左右にずれた場合であっても、固定具２０がラック部材２００から外れることがない。なお、距離Ｌ４は、第１側板部２９０の内面と第２側板部２９１側の支持板部２１０の端部との間の距離と同じ距離である。
【００４８】
また、図４に示すように、固定具２０の第１圧接部２５ａと第２圧接部２５ｂとは、固定具２０をラック部材２００に取り付けた状態でラック部材２００の長手方向に沿って延びる。また、第１圧接部２５ａと第２圧接部２５ｂは、長手方向にずれた位置で平行に配置されている。言い換えれば、第１圧接部２５ａの第４辺２６ｄ側の一部は切り欠かれ、同様に、第２圧接部２５ｂの第２辺２６ｂ側の一部も、切り欠かれている。
【００４９】
本実施形態において、図１１に示すように、第１角Ｃ１と第３角Ｃ３との間の距離Ｌ１は、第２角Ｃ２と第４角Ｃ４との間の距離Ｌ２よりも長い。ここで、距離Ｌ１は、第１角Ｃ１及び第３角Ｃ３を結ぶ対角線である。距離Ｌ２は、第２角Ｃ２及び第４角Ｃ４を結ぶ対角線である。そして、距離Ｌ１は、第１側板部２９０の内面と第２側板部２９１の内面との間の距離Ｌ３よりも長い。一方、距離Ｌ２は、距離Ｌ３よりも短い。
【００５０】
このような構成を有する固定具２０は、ラック部材２００の内側で図９に示す状態から図１２に示す状態まで図１１の矢印Ｙ２に示す方向に９０度回転することができる。すなわち、距離Ｌ２は、距離Ｌ３よりも短い。このため、第２角Ｃ２は、第１側板部２９０に当たることなく矢印Ｙ２方向に９０度回転することができる。第４角Ｃ４は、第２側板部２９１に当たることなく矢印Ｙ２方向に９０度回転することができる。また、固定具２０は、図１２に示す状態から、矢印Ｙ２と逆方向に９０度回転し、図９に示す状態に戻すことも可能である。一方、矢印Ｙ２方向に９０度以上回そうとすると第１角Ｃ１及び第３角Ｃ３がそれぞれ、第１側板部２９０及び第２側板部２９１に当接し回すことができなくなる。
【００５１】
アース部２２は、図４に示すように、ベース部２６の第２辺２６ｂを有する端部からベース部２６と略直交するとともに、第１圧接部２５ａ及び第２圧接部２５ｂと交差する向きでラック部材２００の開口部２３０に向かって一体に延びる板状部分である。さらに言えば、アース部２２は、ベース部２６の面方向と直交する方向に、ベース部２６から第１押圧部１２へ向かって延びる。また、アース部２２は、第１圧接部２５ａの延設方向に対して交差する方向に延びる。例えば、アース部２２は、第１圧接部２５ａに対して直交方向よりも、第１延出部１１側を向くように斜めにベース部２６の端部の第２辺２６ｂに沿って設けられている。アース部２２は、先端側に２つの突起２３を有している。突起２３は、第１端面２４ａ及び第２端面２４ｂよりも押圧部１５に向かって突出して形成されている。突起２３は、固定具２０がラック部材２００に固定されたときに図２に示すように、太陽光モジュール１００のフレーム１３０の裏面１２０に突き当てられる。突起２３は、フレーム１３０に施されているメッキ加工による薄膜層を貫通し、フレーム１３０の金属部分と接触する。これにより、アース部２２は、太陽光モジュール１００をアースする。
【００５２】
本実施形態において、ベース部２６の第１辺２６ａと第３辺２６ｃは、第４辺２６ｄに対して略直交している。第１辺２６ａと第３辺２６ｃの長さは異なる。第１辺２６ａと第３辺２６ｃを繋ぐ第２辺２６ｂは、第１辺２６ａ及び第３辺２６ｃと斜めに交差する。このため、第２辺２６ｂに沿って設けられるアース部２２は、第４辺２６ｄに対して傾斜して配置される。
【００５３】
アース部２２は、図４に示すように、第１延出部１１の幅方向に対して傾斜して構成されている。太陽光モジュール１００は、例えば、ラック部材２００に固定され、屋根５００の傾斜に沿って屋根５００上に傾斜して配置されている。このため、アース部２２の方へ流れた水は、軒側に設けられているアース部２２の傾斜に沿ってベース部２６の外側へ排出される。すなわち、第４辺２６ｄに沿って、水の流れができ、ベース部２６に水だまりが出来ることを防ぐ。さらに、アース部２２は、ベース部２６との接続部分において、水抜き孔２１を備えている。換言すると、固定具２０は、アース部２２及びベース部２６の接続部分である角部に、アース部２２の厚さ方向、ベース部２６の厚さ方向、又は、ラック部材２００に固定具２０を固定したときの重力方向に貫通する水抜き孔を有する。これにより、さらにアース部２２は、排水機能を高め、ベース部２６が錆びることを防止することができる。
【００５４】
なお、固定具２０の材料としては、例えば、アルミニウム、ステンレス、鉄等の金属材料又は樹脂材料を用いることができる。本実施形態においては、固定具２０は、金属性の板をプレス加工により複数個所で折り曲げて一体に作製されている。
【００５５】
ボルト３０は、図４に示すように、固定具２０の図示下側から第２ボルト孔２８に挿入される。ボルト３０は、第２ボルト孔２８と同軸の押さえ具１０の第１ボルト孔１７を通り、ワッシャ３１、３３を介してナット３４で螺合される。これにより、ボルト３０は、押さえ具１０と固定具２０とを締め付け、第１の太陽光モジュール１００Ａ及びラック部材２００にそれぞれ当接した押さえ具１０及び固定具２０を一体に固定する。
【００５６】
ボルト３０は、図２に示すように、押圧部１５と第１圧接部２５ａ及び第２圧接部２５ｂとの間でラック部材２００の支持板部２１０と太陽光モジュール１００を挟み込んだ状態の押さえ具１０と固定具２０とを固定する。すなわち、図示下方に固定具２０を設け、この固定具２０のベース部２６の上に押さえ具１０の第２延出部１３を積み重ねるように配置する。この状態で押さえ具１０及び固定具２０は、ボルト３０により締め付けられる。
【００５７】
また、図２に示すように、第１の太陽光モジュール１００Ａが第１押圧部１２と第１圧接部２５ａ及び第２圧接部２５ｂとによりラック部材２００に固定された状態において、第２延出部１３とベース部２６との間に空間Ｔが設けられている。すなわち、図２及び図３に示すように、ベース部２６の表面と固定具２０の第１端面２４ａ及び固定具２０の第２端面２４ｂとの間の距離Ｔ１は、第２延出部１３の裏面１３ｂと支持板部２１０の裏面との間の距離Ｔ２よりも空間Ｔの厚み分長く設けられている。
【００５８】
図２示すように、ボルト３０を締めると、押さえ具１０の押圧部１５は、図示下方へ下がり、太陽光モジュール１００を図示下方向へ押圧する。一方、固定具２０の第１圧接部２５ａ及び第２圧接部２５ｂは、図示上方へ上がり、支持板部２１０を介して太陽光モジュール１００を図示上方へ押圧する。
【００５９】
このとき、距離Ｔ１と、距離Ｔ２が同じ長さで設計されている場合、ボルト３０を完全に締めた状態でも、太陽光モジュール１００を固定するために必要な力が作用しにくい。これに対して、いわゆる締め代として、空間Ｔを設けることにより、固定装置１は、押さえ具１０と固定具２０を用いて強固に太陽光モジュール１００を固定することができる。
【００６０】
言い換えれば、固定装置１は、押圧部１５の第１押圧部１２が太陽光モジュール１００に接触し、且つ、支持板部２１０の裏面と第１圧接部２５ａ及び第２圧接部２５ｂとが当接した状態からさらに空間Ｔ分だけボルト３０を締めることができる。空間Ｔの大きさは、特に定められていないが、例えば、１ミリ〜５ミリの範囲で設定することができる。本実施形態においては、空間Ｔの大きさは、２ミリとした。なお、空間Ｔの大きさがこれより狭いと、固定装置１の寸法誤差により、締め代としての機能を発揮することができない虞がある。一方、空間Ｔを広く設けるためには、スペースの問題や、押さえ具１０と固定具２０との組み付け強度の問題が生じる虞がある。このため、空間Ｔの大きさは、固定装置１の大きさや、ラック部材２００のサイズを考慮して適宜決定される。
【００６１】
化粧板３００は、第１の太陽光モジュール１００Ａの軒側の端面、ラック部材２００の軒側の端部、固定金具４００の軒側を覆う。例えば、化粧板３００は、その一部を固定金具４００にはめ込み可能に構成される。
【００６２】
固定金具４００は、ラック部材２００の軒先の先端部に設けられ、第１の太陽光モジュール１００Ａの軒側の端縁を固定する。
【００６３】
（第１の太陽光モジュールの設置）
次に、本実施形態に係る固定装置１を用いた、第１の太陽光モジュール１００Ａ及び第２の太陽光モジュール１００Ｂの設置工程について説明する。
【００６４】
まず、作業者は、図１に示すように、太陽光モジュール１００を載置するためのラック部材２００を屋根５００に固定する。そして、作業者は、ラック部材２００の軒側の先端部に固定金具４００を取り付ける。ここで、作業者は、固定金具４００を取り付けるときに化粧板３００を固定金具４００の軒側にはめ込み固定する。化粧板３００を固定金具４００の軒側に設けることにより、固定金具４００が直接視認されることを防ぎ美観を保持する。なお、固定金具４００は、ラック部材２００の底板部２７０に図示しないボルトを用いて固定される。
【００６５】
次に、作業者は、第１の太陽光モジュール１００Ａをラック部材２００の上に載置する。本実施形態において、第１の太陽光モジュール１００Ａは、２本の略平行に配置されたラック部材２００の間に架け渡されるように配置される。第１の太陽光モジュール１００Ａは、固定金具４００の押圧部１５とラック部材２００の支持板部２１０との間に軒側のフレーム１３０を挟み込むことで支持される。
【００６６】
（第１の太陽光モジュールの固定）
まず初めに、固定装置１の押さえ具１０と固定具２０をボルト３０で連結し、２つの部材を仮留めする。仮留めとは、押さえ具１０の突起部１９が固定具２０の連結孔２７に嵌め込まれ、押さえ具１０と固定具２０とが別々に分離しない程度にボルト３０及びナット３４で締結されている状態のことをいう。なお、作業者は、予め必要な個数の仮留めされた固定装置１を準備しておくことにより、太陽光モジュール１００の設置作業を効率的に進めることができる。
【００６７】
次に、第１の太陽光モジュール１００Ａを固定する固定装置１をラック部材２００に取り付ける工程について図５〜図１３を用いて説明する。  
図５は、固定装置１を傾けた姿勢でラック部材２００に挿入する状態を示す平面図である。図６は、図５に示す固定装置１を図６中のＶＩ−ＶＩ線断面で示す断面図である。図７は、固定装置１がラック部材２００の空間内へ挿入された状態を示す平面図である。図８は、図７の固定装置１を図７中のＶＩＩＩ−ＶＩＩＩ線断面で示す図である。図９は、図７の固定装置１を矢印Ｙ１の方向へ移動させた状態を示す平面図である。図１０は、図９の固定装置１を図９中のＸ−Ｘ線断面で示す断面図である。図１１は、図１０の固定装置１を交点Ｃを中心に矢印Ｙ２の方向に回転している途中の状態示す平面図である。図１２は、図１０の固定装置１を略９０度回転した状態を示す平面図である。図１３は、図１２の固定装置１を図１２中のＸＩＩＩ−ＸＩＩＩ線断面で示す断面図である。
【００６８】
固定装置１は、図１に示すように、第１の太陽光モジュール１００Ａを間に挟んで、ラック部材２００に沿って固定金具４００と反対側に設けられる。図５及び図６に示すように、作業者は、仮留めされている固定装置１を第１圧接部２５ａ及び第２圧接部２５ｂがラック部材２００の長手方向に対して略直交する向きに向ける。
【００６９】
この理由は、開口部２３０の短手方向の幅（距離Ｋ２）を通過することができる向きに固定装置１の向きを合わせるためである。言い換えれば、固定装置１の固定具２０を開口部２３０からラック部材２００の内側に挿入するためである。すなわち、開口部２３０の短手方向の幅（距離Ｋ２）は、固定具２０の第１圧接部２５ａの外側の面と第２圧接部２５ｂの外側の面との間の距離Ｋ１よりも狭く形成されている。このため、第１圧接部２５ａ及び第２圧接部２５ｂが支持板部２１０と平行になる位置では、開口部２３０に固定具２０を挿入することができない。言い換えれば、第１端面２４aの長手方向が支持板部２１０の長手方向に沿う向きの姿勢の固定具２０は、開口部２３０から挿入することができない。
【００７０】
そこで、作業者は、固定具２０のアース部２２から押さえ具１０の脚部１３ｄまでの最大距離が、距離Ｋ１よりも短いことを利用する。すなわち、作業者は、図６に示すように、脚部１３ｄが図示下方になる向きにラック部材２００の開口部２３０へ向かって固定装置１を傾ける。例えば、作業者は、仮留めされた固定装置１を斜めの姿勢でラック部材２００の開口部２３０へ挿入する。傾けられた固定装置１の固定具２０及び押さえ具１０の一部は、ラック部材２００の内側に挿入される。挿入された固定装置１の脚部１３ｄは、ラック部材２００の底板部２７０に当接する。
【００７１】
ここで、脚部１３ｄとアース部２２の外面間の最長距離は、開口部２３０の距離Ｋ２よりも長く構成されている。しかし、固定装置１の姿勢を斜めにすることで、作業者は、固定装置１の脚部１３ｄ側の一部を支持板部２１０の内側に挿入することができる。なお、脚部１３ｄとアース部２２の外面間の最長距離が、距離Ｋ２よりも短く構成され、固定装置１の姿勢を斜めにすること無く、支持板部２１０の内側に挿入できる構成であってもよい。
【００７２】
作業者は、固定装置１の脚部１３ｄの先端を底板部２７０に当接させたまま、固定装置１が立つ方向に固定装置１を回動させる。これにより、作業者は、固定具２０の全体をラック部材２００の内部に挿入することができる。
【００７３】
なお、傾けても入りにくい場合には、引っ掛かった所において、作業者は、固定装置１を揺らす。固定装置１の押さえ具１０と固定具２０とは、仮留めされている状態であるので、押さえ具１０と固定具２０との連結には若干のいわゆる遊びが存在する。作業者は、固定装置１を揺らして、固定具２０と押さえ具１０との遊びを利用して、アース部２２から脚部１３ｄまで距離を若干縮めることにより、ラック部材２００の内側へ固定装置１を挿入することができる。
【００７４】
次に、図７及び図８に示すように、固定装置１の固定具２０がラック部材２００の内側の空間へ挿入されると、作業者は、図９及び図１０に示すように、固定装置１を矢印Ｙ１の方向へ移動する。固定装置１は、図１０に示すように、ラック部材２００の第２側板部２９１側にアース部２２が近接する位置に移動される。なお、矢印Ｙ１へ移動しなくても、固定装置１の回転が可能であれば、この工程は省略することができる。
【００７５】
続いて、作業者は、押さえ具１０の押圧部１５を把持し、図１１に示す矢印Ｙ２方向に仮留めされている固定装置１を回転する。
【００７６】
作業者は、図１１に示すように、例えば固定装置１の交点Ｃを中心として矢印Ｙ２の方向に固定装置１を略９０度回転する。固定装置１の回転が開始されると、固定具２０の４つの角である第１角Ｃ１、第２角Ｃ２、第３角Ｃ３及び第４角Ｃ４もそれぞれ回転する。すなわち、第２角Ｃ２及び第４角Ｃ４は、中心を交点Ｃとする第１側板部２９０及び第２側板部２９１の内側に接する円の内側に設けられている。このため、固定装置１は、矢印Ｙ２の方向に略９０度回転することができる。
【００７７】
上記のように、固定装置１を矢印Ｙ２に沿って略９０度回転すると、図１２に示すように、固定装置１の第１圧接部２５ａ及び第２圧接部２５ｂは、ラック部材２００の長手方向に沿って支持板部２１０に重なる位置に配置される。
【００７８】
言い換えれば、支持板部２１０の長手方向に、第１圧接部２５ａの第１端面２４ａの長手方向が沿う向きで、一方の支持板部２１０と対向して配置される。同様に、支持板部２１０の長手方向に、第２圧接部２５ｂの第２端面２４ｂの長手方向が沿う向きで、他方の支持板部２１０と対向して配置される。
【００７９】
作業者は、図１２及び図１３に示すように、第１圧接部２５ａ及び第２圧接部２５ｂが支持板部２１０と重なる位置まで来ていることを確認し、固定装置１の回転を止める。
【００８０】
固定装置１の位置が決定したら、作業者は、ボルト３０の締め付けを開始する。ボルト３０を締めることにより、固定具２０の第１圧接部２５ａ及び第２圧接部２５ｂがラック部材２００の支持板部２１０へ向かって引き上げられ、支持板部２１０の裏側から支持板部２１０を介して第１の太陽光モジュール１００Ａを押圧する。同時に、図２に示すように、押さえ具１０の第１押圧部１２がフレーム１３０から支持板部２１０へ向かって第１の太陽光モジュール１００Ａを押圧する。これにより、第１の太陽光モジュール１００Ａの棟側の端縁が、第１押圧部１２及び支持板部２１０の間に挟み込まれて固定される。
【００８１】
このとき、固定具２０のアース部２２は、第１の太陽光モジュール１００Ａのフレーム１３０を押圧する。アース部２２の突起２３は、フレーム１３０に施されているメッキ加工の薄膜を破ってフレーム１３０の裏面１２０と電気的に導通される。なお、本実施形態において、突起２３は、２つ形成されているが、この中の一つでも導通が得られればよい。
（第２の太陽光モジュールの固定）
まず、第１の太陽光モジュール１００Ａの棟側を固定している固定装置１の第２押圧部１４とラック部材２００の支持板部２１０の間に第２の太陽光モジュール１００Ｂの軒側の端縁を挟み込むように配置する。
【００８２】
次に、第２の太陽光モジュール１００Ｂがラック部材２００の上に配置される。第１の太陽光モジュール１００Ａの棟側を固定している固定装置１との間に第２の太陽光モジュール１００Ｂを挟んで対向する位置に次の固定装置１をセットする。すなわち、太陽光モジュール１００は、固定装置１と交互に配置される。なお、第２の太陽光モジュール１００Ｂの棟側の端縁を固定する固定装置１の取り付け方法は、第１の太陽光モジュール１００Ａの棟側の端縁を固定している固定装置１の取り付け方法と同様のため、その詳細な説明は省略する。また、３枚目以降の太陽光モジュール１００においても、同様の方法を繰り返すことで屋根に取り付けることができる。
【００８３】
このように構成された本実施形態に係る固定装置１によれば、ラック部材２００のどの位置からも固定装置１の固定具２０を開口部２３０からラック部材２００の内側に挿入することができる。このため、ラック部材２００の長手方向の長さが数メータある場合や、ラック部材２００の両端が閉塞している構成であっても、ラック部材２００の端部から固定具２０を挿入する必要がなく、太陽光モジュール１００の固定位置の近傍の開口部２３０から固定装置１を挿入することができる。もちろん当然のことであるが、固定装置１は、ラック部材２００のどの位置からも、取り外すことができる。
【００８４】
また、固定装置１は、一対の圧接部２５ａ、２５ｂ間の距離Ｋ１は、距離Ｋ２及び距離Ｌ４よりも長く、且つ、Ｌ３よりも短く構成されている。このため、固定装置１は、図５〜図１１の一連の動作により、固定装置１の第１圧接部２５ａ及び第２圧接部２５ｂをラック部材２００の支持板部２１０の長手方向に沿って配置することができる。
【００８５】
すなわち、図３に示す状態から、固定具２０の設置位置がラック部材２００の長手方向と直交する方向である図示左右方向のどちらかに片寄った場合であっても、第１圧接部２５ａ又は第２圧接部２５ｂが支持板部２１０から外れて固定装置１がラック部材２００から外れることがない。
【００８６】
また、本実施形態の固定装置１によれば、押さえ具１０と固定具２０とが突起部１９と連結孔２７により組み付けられている。これにより、図１１に示す固定装置１の回転操作において、押さえ具１０と固定具２０が常に一体となって回転する。このため、固定具２０のみが回転せずに図９に示す挿入位置で止まることがない。
【００８７】
また、本実施形態の固定装置１によれば、図２に示すように突起部１９を備えている。突起部１９は、例えば、屋根に堆積した雪等により棟側から軒側に向かって太陽光モジュール１００に力が作用したときにラック部材２００と当接し、太陽光モジュール１００を支持する支持部材としても機能する。これにより、太陽光モジュール１００に係る圧力による太陽光モジュール１００の変形や破損を防ぐことができる。このため、固定装置１は、雪が多い地域においても太陽光モジュール１００を設置することができる。
【００８８】
また、本実施形態の固定装置１によれば、脚部１３ｄは、太陽光モジュール１００の軒側から棟側に向かって力が作用した場合に、ラック部材２００の底板部２７０と脚部１３ｄの先端とが当接する。これにより、脚部１３ｄは、作用する力に抗して太陽光モジュール１００を支持することができる。
【００８９】
また、本実施形態の固定装置１は、脚部１３ｄと突起部１９とを有することにより自立可能な構造を備えている。このため、固定装置１をラック部材２００の開口部２３０から挿入後、ラック部材２００の底板部２７０に沿って固定装置１を太陽光モジュール１００に向かって自立した状態でスライドさせるだけで太陽光モジュール１００と嵌め合わせることができ作業性がよい。
【００９０】
また、脚部１３ｄに設けられた複数の凸部１３ｅは、識別マークとして機能する。例えば、太陽光モジュール１００の厚みに合わせて、複数種の押さえ具１０を製造した場合、第１延出部１１の長さによって凸部１３ｅの数を変えることにより、必要な押さえ具１０をすぐに識別することができる。
【００９１】
また、本実施形態の固定装置１によれば、固定具２０には、アース部２２が一体に設けられているため、ラック部材２００に沿って別途アース部を取り付ける必要が無い。また、アース部２２は、鋭利に尖った少なくとも１つの突起２３を有している。突起２３は、押さえ具１０の押圧部１５と太陽光モジュール１００の厚み方向に重なる位置に設けられている。突起２３は、ボルト３０が締められることによりフレーム１３０の裏面１２０のメッキを貫通可能である。このため、予めアース部２２を接地する位置のフレーム１３０の裏面１２０のメッキを剥離してフレーム本体の金属面を露出させる必要が無く作業性に優れている。
【００９２】
また、押さえ具１０の第２押圧部１４の接触面１８から支持板部２１０の表面までの距離は、第１押圧部１２の接触面１６から支持板部２１０の表面までの距離よりも若干広く構成されている。このため、第１の太陽光モジュール１００Ａを固定後に第２の太陽光モジュール１００Ｂを第２押圧部１４の接触面１８と支持板部２１０の間にはめ込むときに、第２の太陽光モジュール１００Ｂを斜め上から嵌め込むことが可能であるため、作業性が良い。
【００９３】
また、本実施形態の固定装置１によれば、アース部２２は、図４に示すように傾斜して構成されている。言い換えれば、アース部２２は、突起２３の並び方向の一端が第１延出部１１に近接する向きに傾斜して設けられている。この傾斜は、ベース部２６に流入した水に流れを発生させ、水だまりが出来ることを防ぐ。すなわち、この傾斜は、ベース部２６に流入した水をベース部２６とアース部２２とにより構成される接続部分に沿って排水することができる。さらに、アース部２２は、ベース部２６との接続部分において、水抜き孔２１を備えている。これにより、さらに固定具２０は、排水機能を高めることができる。これにより、固定装置１は、錆を防止することができる。
【００９４】
また、押さえ具１０の第２延出部１３は、後から配置される第２の太陽光モジュール１００Ｂ側に延出されている。つまり、第２延出部１３は、第２押圧部１４側に設けられている。このため、第１の太陽光モジュール１００Ａを固定するときに、第２延出部１３が第１の太陽光モジュール１００Ａにより覆われることがない。また、常に作業者は、固定作業を実施している太陽光モジュール１００よりも棟側でボルト３０の締結作業を行うことができるため、ボルト３０の締め付け作業中に作業者が太陽光モジュール１００の太陽電池セル１５０に誤って乗ることがない。
【００９５】
また、本実施形態の固定装置１は、ラック部材２００への挿入動作においても、押さえ具１０と固定具２０が分離されない。このため、屋根の上等の不安定な場所においても、仮留めされた固定装置１を用いて簡易な動作によりラック部材２００に太陽光モジュール１００を取り付けるとともに、アースをすることができるため作業性がよい。
【００９６】
なお、本発明は上記の実施形態に限定されるものではない。例えば、押さえ具１０を押し出し成形により形成するものと記載したが、製造方法はこれに限定されない。例えば、溶接により第１延出部１１、第２延出部１３、押圧部１５、脚部１３ｄ及び突起部１９を接続することも、また、プレス加工により成形することもできる。
【００９７】
また、同様に、固定具２０についても本実施形態においては、第１圧接部２５ａ、第２圧接部２５ｂ及びアース部２２を曲げ加工により一体に製造しているが、これに限られない。すなわち、それぞれの部材を別体に形成することもできる。
【００９８】
また、押さえ具１０の突起部１９と固定具２０の連結孔２７とは、反対に設けることも可能である。すなわち、押さえ具１０の第２延出部１３に連結孔２７を設け、固定具２０のベース部２６に突起部１９を設けることも可能である。
【００９９】
また、本実施形態においては、固定装置１は、第１側板部２９０側へ脚部１３ｄの先端を挿入し、傾斜させることで、開口部２３０からラック部材２００の内側に固定具２０を挿入しているが、これに限られない。すなわち、固定装置１は、第２側板部２９１側へ脚部１３ｄの先端を挿入し、傾斜させることで、開口部２３０からラック部材２００の内側に固定具２０を挿入することも可能である。
【０１００】
また、本実施形態において、太陽光モジュール１００をラック部材２００に固定する固定装置１を説明しているが、ラック部材２００に固定されるものは、太陽光モジュール１００に限定されない。固定装置１で挟み固定することができるパネルであれば、他の部材にも利用することができる。
【０１０１】
この他、固定装置１は、本発明の要旨を逸脱しない範囲で種々変形実施可能であるのは勿論である。
【符号の説明】
【０１０２】
１…固定装置、１０…押さえ具、１１…第１延出部、１２…第１押圧部、１３…第２延出部、１３ｂ…裏面、１３ｃ…端部、１３ｄ…脚部、１３ｅ…凸部、１４…第２押圧部、１５…押圧部、１６…接触面、１７…第１ボルト孔、１８…接触面、１９…突起部、２０…固定具、２１…水抜き孔、２２…アース部、２３…突起、２４ａ…第１端面、２４ｂ…第２端面、２５ａ…第１圧接部、２５ｂ…第２圧接部、２６…ベース部、２６ａ…第１辺、２６ｂ…第２辺、２６ｃ…第３辺、２６ｄ…第４辺、２７…連結孔、２８…第２ボルト孔、３０…締結部材（ボルト）、３１…ワッシャ、３３…ワッシャ、３４…ナット、１００…太陽光モジュール、１００Ａ…第１の太陽光モジュール、１００Ｂ…第２の太陽光モジュール、１１０…表面、１２０…裏面、１３０…フレーム、１４０…空間、１５０…太陽電池セル、２００…ラック部材、２１０…支持板部、２３０…開口部、２７０…底板部、２９０…第１側板部、２９１…第２側板部、３００…化粧板、４００…固定金具、５００…屋根、６００…太陽光発電ユニット。
【図１】
2017038994.tif 000003
【図２】
2017038994.tif 000004
【図３】
2017038994.tif 000005
【図４】
2017038994.tif 000006
【図５】
2017038994.tif 000007
【図６】
2017038994.tif 000008
【図７】
2017038994.tif 000009
【図８】
2017038994.tif 000010
【図９】
2017038994.tif 000011
【図１０】
2017038994.tif 000012
【図１１】
2017038994.tif 000013
【図１２】
2017038994.tif 000014
【図１３】
2017038994.tif 000015
【図１４】
2017038994.tif 000016
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
長手方向に沿って延びるスリット状の開口部を上面部に有する中空棒状のラック部材の前記上面部に配置されるパネルの周縁部の一部と当接する押さえ具と、
前記開口部に挿入可能に構成され、前記開口部の長手方向と直交する方向の幅よりも大きい幅を一方向に有する前記上面部の裏面に当接する固定具と、
前記パネルの前記周縁部の一部及び前記ラック部材の前記上面部の裏面にそれぞれ当接した前記押さえ具及び前記固定具を一体に固定する締結部材と、
を備え、
前記押さえ具は、一方向に長い板状の第１延出部、前記第１延出部の端部であって、前記第１延出部の厚さ方向に延設され、前記パネルの前記周縁部の一部と当接する押圧部、及び、前記第１延出部の他端から前記第１延出部の厚さ方向に延出され、前記締結部材を挿通可能な第１ボルト孔を有する第２延出部を具備し、
前記固定具は、前記第２延出部の前記第１ボルト孔に対向する前記締結部材を挿通可能な第２ボルト孔を有し、前記第２延出部と対向する板状のベース部、前記開口部の幅よりも大きく、且つ、前記ラック部材の対向する一対の側板部の内面間の幅よりも小さい幅で離間して前記ベース部に配置され、前記上面部の裏面に当接可能な一対の圧接部、及び、前記ベース部の前記固定具と接続される前記押さえ具の前記第２延出部側と反対側の端部に設けられ、前記圧接部が延びる方向へ延びるアース部を備えている固定装置。
【請求項２】
前記固定具は、前記一対の圧接部の外側に設けられる４つの角の対角を結ぶ２本の対角線の一方の対角線の長さが、他方の対角線の長さよりも短いことを特徴とする請求項１に記載の固定装置。
【請求項３】
前記押圧部は、前記第２延出部が延びる方向とは反対方向に延びる第１押圧部及び前記第２延出部が延びる方向に延びる第２押圧部を具備し、
前記第２押圧部の接触面から前記第２延出部の表面までの間の距離が、前記第１押圧部の接触面から前記第２延出部の表面までの間の距離よりも長く形成されていることを特徴とする請求項１に記載の固定装置。
【請求項４】
前記固定具は、前記アース部及び前記ベース部の接続部分に、貫通する水抜き孔を有することを特徴とする請求項１に記載の固定装置。
【請求項５】
長手方向に沿って延びるスリット状の開口部を上面部に有する中空棒状のラック部材の前記上面部に配置されるパネルの周縁部の一部と当接する押さえ具と、前記開口部に挿入可能に構成され、前記開口部の長手方向と直交する方向の幅よりも大きい幅を一方向に有する前記上面部の裏面に当接する固定具と、前記パネルの前記周縁部の一部及び前記ラック部材の前記上面部の裏面にそれぞれ当接した前記押さえ具及び前記固定具を一体に固定する締結部材と、を備え、前記押さえ具は、一方向に長い板状の第１延出部、前記第１延出部の端部であって、前記第１延出部の厚さ方向に延設され、前記パネルの前記周縁部の一部と当接する押圧部、及び、前記第１延出部の他端から前記第１延出部の厚さ方向に延出され、前記締結部材を挿通可能な第１ボルト孔を有する第２延出部を具備し、前記固定具は、前記第２延出部の前記第１ボルト孔に対向する前記締結部材を挿通可能な第２ボルト孔を有し、前記第２延出部と対向する板状のベース部、前記開口部の幅よりも大きく、且つ、前記ラック部材の対向する一対の側板部の内面間の幅よりも小さい幅で離間して前記ベース部に配置され、前記上面部の裏面に当接可能な一対の圧接部、及び、前記ベース部の前記固定具と接続される前記押さえ具の前記第２延出部側と反対側の端部に設けられ、前記圧接部が延びる方向へ延びるアース部を備えている固定装置の前記固定具を、前記開口部から前記ラック部材に挿入し、
前記固定具を前記固定具の前記一方向が前記ラック部材の長手方向と直交する方向に沿う方向に回転し、
前記押さえ具及び前記ラック部材の前記上面部の間に前記パネルの前記周縁部の一部を配置し、
前記押さえ具及び前記固定具を前記締結部材により一体に接続することを特徴とするパネルの設置方法。
【手続補正２】
【補正対象書類名】明細書
【補正対象項目名】０００７
【補正方法】変更
【補正の内容】
【０００７】
本発明に係る固定装置は、長手方向に沿って延びるスリット状の開口部を上面部に有する中空棒状のラック部材の前記上面部に配置されるパネルの周縁部の一部と当接する押さえ具と、前記開口部に挿入可能に構成され、前記開口部の長手方向と直交する方向の幅よりも大きい幅を一方向に有する前記上面部の裏面に当接する固定具と、前記パネルの前記周縁部の一部及び前記ラック部材の前記上面部の裏面にそれぞれ当接した前記押さえ具及び前記固定具を一体に固定する締結部材と、を備え、前記押さえ具は、一方向に長い板状の第１延出部、前記第１延出部の端部であって、前記第１延出部の厚さ方向に延設され、前記パネルの前記周縁部の一部と当接する押圧部、及び、前記第１延出部の他端から前記第１延出部の厚さ方向に延出され、前記締結部材を挿通可能な第１ボルト孔を有する第２延出部を具備し、前記固定具は、前記第２延出部の前記第１ボルト孔に対向する前記締結部材を挿通可能な第２ボルト孔を有し、前記第２延出部と対向する板状のベース部、前記開口部の幅よりも大きく、且つ、前記ラック部材の対向する一対の側板部の内面間の幅よりも小さい幅で離間して前記ベース部に配置され、前記上面部の裏面に当接可能な一対の圧接部、及び、前記ベース部の端部の前記固定具と接続される前記押さえ具の前記第２延出部側と反対側の端部に設けられ、前記圧接部が延びる方向へ延びるアース部を備えている。
【手続補正３】
【補正対象書類名】明細書
【補正対象項目名】０００８
【補正方法】変更
【補正の内容】
【０００８】
また、本発明に係るパネルの設置方法は、  長手方向に沿って延びるスリット状の開口部を上面部に有する中空棒状のラック部材の前記上面部に配置されるパネルの周縁部の一部と当接する押さえ具と、前記開口部に挿入可能に構成され、前記開口部の長手方向と直交する方向の幅よりも大きい幅を一方向に有する前記上面部の裏面に当接する固定具と、前記パネルの前記周縁部の一部及び前記ラック部材の前記上面部の裏面にそれぞれ当接した前記押さえ具及び前記固定具を一体に固定する締結部材と、を備え、前記押さえ具は、一方向に長い板状の第１延出部、前記第１延出部の端部であって、前記第１延出部の厚さ方向に延設され、前記パネルの前記周縁部の一部と当接する押圧部、及び、前記第１延出部の他端から前記第１延出部の厚さ方向に延出され、前記締結部材を挿通可能な第１ボルト孔を有する第２延出部を具備し、前記固定具は、前記第２延出部の前記第１ボルト孔に対向する前記締結部材を挿通可能な第２ボルト孔を有し、前記第２延出部と対向する板状のベース部、前記開口部の幅よりも大きく、且つ、前記ラック部材の対向する一対の側板部の内面間の幅よりも小さい幅で離間して前記ベース部に配置され、前記上面部の裏面に当接可能な一対の圧接部、及び、前記ベース部の前記固定具と接続される前記押さえ具の前記第２延出部側と反対側の端部に設けられ、前記圧接部が延びる方向へ延びるアース部を備えている固定装置の前記固定具を、前記開口部から前記ラック部材に挿入し、
前記固定具を前記固定具の前記一方向が前記ラック部材の長手方向と直交する方向に沿う方向に回転し、
前記押さえ具及び前記ラック部材の前記上面部の間に前記パネルの前記周縁部の一部を配置し、
前記押さえ具及び前記固定具を前記締結部材により一体に接続する。
【手続補正４】
【補正対象書類名】明細書
【補正対象項目名】０１０１
【補正方法】変更
【補正の内容】
【０１０１】
この他、固定装置１は、本発明の要旨を逸脱しない範囲で種々変形実施可能であるのは勿論である。
以下、本願の出願当初の特許請求の範囲に記載された発明を付記する。
［１］長手方向に沿って延びるスリット状の開口部を上面部に有する中空棒状のラック部材の前記上面部に配置されるパネルの周縁部の一部と当接する押さえ具と、
前記開口部に挿入可能に構成され、前記開口部の長手方向と直交する方向の幅よりも大きい幅を一方向に有する前記上面部の裏面に当接する固定具と、
前記パネルの前記周縁部の一部及び前記ラック部材の前記上面部の裏面にそれぞれ当接した前記押さえ具及び前記固定具を一体に固定する締結部材と、
を備えることを特徴とする固定装置。
［２］前記押さえ具は、一方向に長い板状の第１延出部、前記第１延出部の端部であって、前記第１延出部の厚さ方向に延設され、前記パネルの前記周縁部の一部と当接する押圧部、及び、前記第１延出部の他端から前記第１延出部の厚さ方向に延出され、前記締結部材を挿通可能な第１ボルト孔を有する第２延出部を具備し、
前記固定具は、前記第２延出部の前記第１ボルト孔に対向する前記締結部材を挿通可能な第２ボルト孔を有し、前記第２延出部と対向する板状のベース部、及び、前記開口部の前記幅よりも大きく、且つ、前記ラック部材の対向する一対の側板部の内面間の幅よりも小さい幅で離間して前記ベース部に配置され、前記上面部の裏面に当接可能な一対の圧接部を具備することを特徴とする［１］に記載の固定装置。
［３］前記固定具は、前記一対の圧接部の外側に設けられる４つの角の対角を結ぶ２本の対角線の一方の対角線の長さが、他方の対角線の長さよりも短いことを特徴とする［２］に記載の固定装置。
［４］前記押圧部は、前記第２延出部が延びる方向とは反対方向に延びる第１押圧部及び前記第２延出部が延びる方向に延びる第２押圧部を具備し、
前記第２押圧部の接触面から前記第２延出部の表面までの間の距離が、前記第１押圧部の接触面から前記第２延出部の表面までの間の距離よりも長く形成されていることを特徴とする［２］に記載の固定装置。
［５］前記固定具は、前記ベース部の端部の前記固定具と接続される前記押さえ具の前記第２延出部側と反対側の端部に設けられ、前記圧接部が延びる方向へ延びるアース部を備えていることを特徴とする［２］に記載の固定装置。
［６］前記固定具は、前記アース部及び前記ベース部の接続部分に、貫通する水抜き孔を有することを特徴とする請求項５に記載の固定装置。
［７］長手方向に沿って延びるスリット状の開口部を上面部に有する中空棒状のラック部材の前記上面部に配置されるパネルの周縁部の一部と当接する押さえ具と締結部材により一体に固定される、前記開口部の長手方向と直交する方向の幅よりも大きい幅を一方向に有する前記上面部の裏面に当接する固定具を前記開口部から挿入し、前記固定具を前記固定具の前記一方向が前記ラック部材の長手方向と直交する方向に沿う方向に回転し、前記押さえ具及び前記ラック部材の前記上面部の間に前記パネルの前記周縁部の一部を配置し、前記押さえ具及び前記固定具を前記締結部材により一体に接続することを特徴とするパネルの設置方法。
【国際調査報告】
2017038994.tif 000017
2017038994.tif 000018
2017038994.tif 000019
2017038994.tif 000020